(57)【要約】      （修正有）【課題】折りたたみ式パイプステッキにおいて折りたたんだ時、状態が安定して保持できかつ、パイプ支柱同士の接触で傷がつかない構造のパイプ連結装置の開発。上記ステッキにおいて、折りたたんだ状態で携帯中に、衝撃で状態保持が解除されない連結装置の開発。上記ステッキにおいて、折りたたんだ状態の保持を使用時に簡単に解除する機構の開発。【解決手段】パイプ支柱1,2をゴムで連結した従来の方法の替わりに、ばね9とワイヤー7,8を組み合わせ、ストッパー金具14を取り付け、ばねの反発力を一時的に止めることができる連結装置。また、衝撃でストッパーが外れないようＬ字型にしたことを特徴とするストッパー金具。ステッキ使用時には、簡単にストッパーを解除するために、連結金具3の中心穴15を利用してストッパー金具を移動させる機構。【選択図】図３
2004329839.tif 000002
【特許請求の範囲】
【請求項１】
折りたたみ式ステッキにおいて、折りたたんだ状態を保持出来ることを特徴とするパイプの接続方法。
【請求項２】
請求項１を実施するに当たり、ばねの反発力を一時停止させるためのＬ字型を特徴とするストッパー金具。
【請求項３】
請求項２におけるストップ機能の解除。
【発明の詳細な説明】
【０００１】
【発明の属する技術分野】
この発明は、折りたたみ式ステッキなど、パイプ状支柱の接続方法に関するものであり、ステッキ用シャフトの他例えば、テントの支柱など折りたたみ式パイプの接続に使用できるものである。
【０００２】
【従来の技術】
金属パイプなどの折りたたみステッキは従来、パイプの端がテーパー状の凹形状と凸形状の連結金具が合体し、中心を通るゴムひもによって引き合って連結する構造のものが一般的である。
図１に基づいてその構造を説明する。
１および２はパイプ支柱で、それぞれテーパー状の連結金具３および４が取り付けられている。連結金具は中空になっていてゴムひも５が張られた状態で通っている。ゴムひもの両端はステッキの上端及び下端に固定されているため、パイプは常にお互いに引き合う状態になっている。パイプ１とパイプ２を手で引き離すとゴムひも５が伸び、連結金具３および４は分離する。
図２は連結金具３と４を分離し、そのまま折りたたんだ状態を示す。
この状態では、連結金具４の外周部がパイプ支柱１の外周部との接触点６を強く圧迫し傷がつくことになる。近年、パイプに花柄などの装飾を施したおしゃれなステッキが多く見られるが、このように、接触部の装飾が損傷することが避けられなかった。
【０００３】
また、図２のように折りたたんだ状態で手を放すとゴムひも５の張力によってたたんだパイプが瞬時に開いてしまい形態を保持することができない。
たたんだ状態で携帯する場合は専用の袋に入れるか、もしくはバンドなどで束ねておく必要があった。
【０００４】
【発明が解決しようとする課題】
本発明は、折りたたみステッキを折りたたんだ時点でパイプ同士が引き合う力を止め、たたんだ状態を保持できるものである。
【０００５】
また、状態保持機能は衝撃などにも耐えられる構造のものである。
【０００６】
また、ステッキ使用時には簡単に連結することができるものである。
【０００７】
【課題を解決するための手段】
本発明は、ゴムひもの替わりにばねとワイヤーを組み合わせたものを使い、ワイヤーの中間にストッパー金具を取り付けた。折りたたんだ状態ではストッパー金具によりばねの反発力を止める。（請求項１）
【０００８】
ストッパー金具が携帯時に衝撃などで外れないためにストッパー金具をＬ字型に形成した。（請求項２）
【０００９】
ストッパー機能を解除するときは、連結金具の形状を利用し連結金具を押し当てることにより解除する。（請求項３）
【００１０】
【発明の実施の形態】
この発明におけるパイプ連結方法の構造の実施例を図面に基づいて説明する。
図３はパイプ支柱が連結された状態を示す。
１および２はパイプ支柱、３および４はアルミ材の連結金具である。連結金具３の中心には磨耗を防ぐために鉄製スリーブ１５が挿入されている。パイプ支柱１と連結金具３および、パイプ支柱２と連結金具４はそれぞれ接着剤によって固定されている。９は押しばね、１０はばね受け、１２は座金である。１４はストッパー金具で両端はワイヤー７および８が連結され、ワイヤーの端はそれぞれ止めリング１３、１７に連結されている。１１は緩衝ゴムである。
【００１１】
図３において、押しばね９の反発力によりばね受け１０は左側へ押されている。１０に連結されているワイヤー７、ストッパー金具１４、およびワイヤー８はワイヤー止め金具１７を介して連結金具３と連結金具４を圧着させてパイプの連結を行っている。
【００１２】
図４はパイプ支柱を折りたたんだ状態を示す。図３の状態で、パイプ支柱１とパイプ支柱２を左右に引き離すことにより、連結金具３と連結金具４は分離し、同時にワイヤー８が引き上げられ、ストッパー金具１４はスリーブ１５の中心穴に進入しストッパー金具１４のかぎ状の部分がスリーブ１５の上端に掛かり、押しばね９の反発力は止められることになる。また、スリーブ１５の上部はゆるい円錐状になっていてストッパー金具１４が外れにくいことになる。このとき、パイプ支柱１とパイプ支柱２は、一定の距離でワイヤー８によって連結された状態になる。この状態で図４のようにパイプ支柱１とパイプ支柱２を折り重ねることにより折りたたみが完成する。
【００１３】
ストッパー金具１４がスリーブ１５の上端に確実に掛かりかつ、携帯時の衝撃にも容易に外れないための機構について説明する。
図５はストッパー金具１４の形状を示す。図のように、ストッパー金具は縦軸１８と横軸１９とから成るＬ字型を形成し縦軸の先端はかぎ状となっている。また、１８および１９の先端にはそれぞれワイヤーを通すための穴２１，２２があけられ、それぞれワイヤー７、ワイヤー８が連結されている。
【００１４】
図６、図７、図８に基づいてストッパー金具１４の機能を説明する。図６はワイヤー８が引き上げられ、ストッパー金具１４の先端がスリーブ１５の中心穴に進入した状態を示す。このとき、ストッパー金具１４はワイヤー７およびワイヤー８に引っ張られており、ワイヤー７、連結穴２２、連結穴２１、ワイヤー８は一直線上にある。従って、ストッパー金具１４の縦軸１８は図６のごとくワイヤーに対して斜めに位置する。このとき、縦軸１８の外側とスリーブ１５の内径は図中２３の点で接触している。
【００１５】
図７はワイヤー８をさらに引き上げた状態を示す。ストッパー金具１４は縦軸１８の角度を時計回りに変えながらスリーブ１５に進入している。このとき、連結穴２２はワイヤー８とワイヤー７の止めリング１３とを結ぶ直線上から離れており、ばねの力で元の位置に戻ろうとする力が働く。すなわち、ストッパー金具１４はスリーブ１５との接点２３を支点として反時計回りに回る力が働いている。
図８はワイヤー８がさらに引き上げられ、スリーブ１５の上端からストッパー金具１４の先端のかぎ部分２０が完全に出た状態を示す。ストッパー金具１４は回転力により確実にスリーブ１５の上端に掛かることになる。この状態でもストッパー金具１４は反時計回りに回転しようとする力が働いており、衝撃などで外れることはないのである。
【００１６】
折りたたみの状態からストッパーを解除し、パイプを連結させる方法を図９に基づいて説明する。図９は連結金具３に連結金具４を挿入した状態を示す。連結金具４はワイヤー８に沿って進行し、ストッパー金具１４の先端を捉える。さらにパイプ支柱２を押し込むことにより、連結金具４の先端はストッパー金具１４の先端をスリーブ１５の中心に向けて移動させることになる。連結金具３と連結金具４の中心穴の内径は同一であるため、完全に合致する直前にストッパー金具１４はスリーブ１５の上端からはずれ、ばねの力でワイヤー８が引かれ、連結金具３及び４は合体し図３の状態に戻る。緩衝ゴム１１はこのときの衝撃を吸収するための部材である。
【００１７】
【発明の効果】
折りたたんだとき、パイプ支柱同士が引き付けあうことがないので傷がつかない。また、手を放してもたたんだ状態が保持されているため取り扱いがしやすい。ステッキに使用した場合カーボンパイプや漆塗り仕上のように傷のつきやすい素材でも折りたたみ式の作成が可能である。（請求項１）
【００１８】
折りたたんだ状態で携帯中に落としたりぶつけたりして衝撃を与えてもＬ字型ストッパー金具が外れることがない。（請求項２）
【００１９】
ステッキ使用時にはワンタッチで連結ができる。（請求項３）
【図面の簡単な説明】
【図１】従来の折りたたみステッキの連結部の断面図である。
【図２】従来の折りたたみステッキの連結部を折りたたんだ状態の正面図である。
【図３】本発明の連結部を連結した状態の断面図である。
【図４】本発明の連結部を折りたたんだ状態の断面図である。
【図５】ストパー金具の正面図である。
【図６】
【図７】
【図８】ストッパー金具の機能を示した連結部の断面図である。
【図９】ストッパーを解除する機構を示した断面図である。
【符号の説明】
１    パイプ支柱
２    パイプ支柱
３    凹形状連結金具
４    凸形状連結金具
５    ゴムひも
６    連結金具４とパイプ支柱の外周部の接触点
７    ワイヤー
８    ワイヤー
９    押しばね
１０    ばね受け
１１    緩衝ゴム
１２    座金
１３    ワイヤー止めリング
１４    ストッパー金具
１５    鉄製スリーブ
１６    座金
１７    ワイヤー止めリング
１８    ストッパー金具縦軸
１９    ストッパー金具横軸
２０    ストッパー金具の先端かぎ部分
２１    ストッパー金具縦軸ワイヤー穴
２２    ストッパー金具横軸ワイヤー穴
２３    スリーブとストッパー金具の接触点
【図１】
2004329839.tif 000003
【図２】
2004329839.tif 000004
【図３】
2004329839.tif 000005
【図４】
2004329839.tif 000006
【図５】
2004329839.tif 000007
【図６】
2004329839.tif 000008
【図７】
2004329839.tif 000009
【図８】
2004329839.tif 000010
【図９】
2004329839.tif 000011